(57)【要約】  【課題】自動車に積み込みや自動車から下ろす際にラダーレールを使用するが、ラダーレール上を移動する際にバランスが取りづらく、１人で作業する場合においては不安定で変に体をねじったりして痛めてしまうことが発生したり、不安定で床材剥離機を落下させてしまって損傷することなどの課題があった。  【解決手段】床材剥離機の刃先側に取り付ける着脱可能な床材剥離機用補助台車であって、台車フレームと、方向自在キャスターであって少なくとも２つの移動用車輪と、床材剥離機の刃物を係止する刃先係止部と、上記刃先係止部で床材剥離機の刃物を係止した状態で上記台車フレームを固定する固定手段とを有することを特徴とする床材剥離機における移動用着脱補助台車を提供する。【選択図】    図１
2018034624.tif 000002
【特許請求の範囲】
【請求項１】
床材剥離機の刃先側に取り付ける着脱可能な床材剥離機用補助台車であって、
台車フレームと、
方向自在キャスターであって少なくとも２つの移動用車輪と、
床材剥離機の刃物を係止する刃先係止部と、
上記刃先係止部で床材剥離機の刃物を係止した状態で上記台車フレームを固定する固定手段とを有することを特徴とする床材剥離機用補助台車。
【請求項２】
上記固定手段は、床材剥離機に係止される係止金具と、上記係止金具と上記台車フレーム間に接続された長さ調整可能なベルトであることを特徴とする請求項１記載の床材剥離機用補助台車。
【請求項３】
上記固定手段は、床材剥離機に巻回されて係止することが可能な着脱ベルトを少なくとも２本有することを特徴とする請求項１記載の床材剥離機用補助台車。
【発明の詳細な説明】
【技術分野】
【０００１】
本発明は、床材剥離機に関するものである。さらに詳しくは、床材剥離機を荷室や荷台等に積み込みする際の床材剥離機本体の移動を安全に行うことができる床材剥離機の移動用着脱補助台車に関するものである。
【背景技術】
【０００２】
床材剥離機は、現場に床材剥離機を持ち込み、床に接着剤で貼り付けされている床材を剥がす機械である。施工者の事務所から現場に移動する際には自動車の荷室や荷台に積み込む。例えば後部座席の後方荷物置き場と、後面にも荷物を出し入れするドアを有するステーションワゴンや荷室の広いバンと称される商用車やトラックの荷台などに積み込んで現場へ移動している。
【０００３】
床材剥離機は、作業者が床材剥離機に搭乗して操作するタイプのものもあるが、床材剥離機本体の左右後端部に回転自在に車輪が設けられて２輪で移動するタイプのものがよく使用されている。
【０００４】
特許文献１は、一般家庭や事務所等で使用するタンス、整理棚等の家具や冷蔵庫、植木鉢など重量物を移動させるときに使用する重量物移動台車において、床の歪や、床材の継ぎ目など、進行を阻害する要因の影響を受けずに、安全に重量物を移動できる重量物移動台車を提供することを課題として提案されている。そして、台車本体と、前記台車本体下部に複数の軸で軸支した複数のローラと、前記台車本体上部に載置した荷重受け荷台を有し、前記荷重受け荷台は重量物の底面に当接して重量物を支持する平面部と、前記平面部の傾斜角度が自在に調整される弾性部材とで形成したことを特徴とする重量物移動台車という構成で知られているものである。
【０００５】
特許文献２は、床材剥離機に関するものではなく、台車に搭載した荷物を簡単に縛って荷崩れを防止でき、又、使い捨てとなる部材が生じない運搬具を提供することを目的として知られたものであり、車輪付き台車と、該台車上に搭載した荷物の上側に掛止する為の上部枠とからなり、前記車輪付き台車と上部枠とを連結するためのベルトを含む連結手段を備えてなる運搬具であって、前記連結手段は、前記車輪付き台車の両側部に、前記ベルトの一端を取付した巻取器を夫々設置すると共に、前記上部枠に、前記ベルトの他端を着脱自在に掛止できる掛止部を有する掛止部材を設けて構成し、前記掛止部材の掛止部は前記上部枠の下縁より下方の位置に形成したことを特徴とした運搬具という構成で知られているものである。
【０００６】
特許文献３は、造を簡単にしてコストを低く抑えられ、係合部位の形態が変わっても適切に固定できる搬送装置における荷物固定装置を提供することを目的のために提案されているものである。 車体にフォークを備えた搬送装置に備えられ、前記フォーク上に載せた荷物を固定する荷物固定装置であって、前記車体に備えられ、前記フォークの上方を進退移動する進退部材と、前記進退部材に設けられ、前記フォーク上に載せた荷物に対して前記進退部材が進出状態で前記荷物に係合可能な係合部材とを有する搬送装置における荷物固定装置として知られているものである。
【先行技術文献】
【特許文献】
【０００７】
【特許文献１】特開２０１４−１９１９５号公報
【特許文献２】実用新案登録第２５６１０４５号公報
【特許文献３】特開２００８−６２８８０号公報
【発明の開示】
【発明が解決しようとする課題】
【０００８】
床材剥離機本体の左右後端部に回転自在に車輪が設けられて２輪で移動するタイプにおいては、移動する際にはハンドルを押し下げて、剥離作業のための剥離刃を接地しない状態に持ち上げる必要がある。そのために、常にハンドルを押し下げてバランスを取りながら移動しなければならない。
【０００９】
自動車への積み込みや自動車から下ろす際にラダーレールを使用するが、ラダーレール上を移動する際に、剥離刃を接地しない状態に持ち上げてバランスをとった上で押し上げなければならないため、１人で作業する場合においては不安定で変に体をねじったりして痛めてしまうことが発生したり、不安定で床材剥離機を落下させてしまって損傷することなどの場合もあった。
【００１０】
特許文献１の重量物移動台車を使用したとしても、床材剥離機の下方に位置させても載置しているだけの構成となり、重量物の固定手段が特に設けられていないためラダーレールのように傾斜した状態のものの上を運搬する際においては、バランスを崩して落下させてしまう危険性がある。また、落下することまで起きなくても、固定手段が特に設けられていないために重量物移動台車と床材剥離機がずれてしまうことが発生し積み降ろし作業が容易に行えないという課題が残る。
【００１１】
特許文献２は、車輪付き台車と上部枠とを連結するためのベルトを含む連結手段を備えてなる運搬具であり、この運搬具では、運搬具上に運搬する対象物を完全に載置するという構成が記載されており、固定手段については記載があるものの床材剥離機には使用することができないものである。
【００１２】
特許文献３の搬送装置における荷物固定装置においては、搬送装置に搬送対象物を載置するものであり、限られた自動車の荷台に床材剥離機ごと載置した搬送装置を積み込むには搬送装置自体が高価なものとなり、またスペースも大きく取ってしまうことから、搬送装置をもっと簡便なものにしたいというような課題が残っていたのである。
【課題を解決するための手段】
【００１３】
本発明は、床材剥離機の刃先側に取り付ける着脱可能な床材剥離機用補助台車であって、台車フレームと、方向自在キャスターであって少なくとも２つの移動用車輪と、床材剥離機の刃物を係止する刃先係止部と、上記刃先係止部で床材剥離機の刃物を係止した状態で上記台車フレームを固定する固定手段とを有することを特徴とする。
【００１４】
また、上記固定手段は、床材剥離機に係止される係止金具と、上記係止金具と上記台車フレーム間に接続された長さ調整可能なベルトであることを特徴とする。
【００１５】
またさらに、上記固定手段は、床材剥離機に巻回されて係止することが可能な着脱ベルトを少なくとも２本有することを特徴とする。
【発明の効果】
【００１６】
本発明により、小型の台車で床材剥離機の刃先部に取り付けが容易に行うことができ、床材剥離機の自動車への積み込み、積み降ろしの際の不安定さを改善でき、安全に積み込み、積み降ろしが可能となる。また、自動車への積み込み、積み降ろし以外の移動の際にも作業者への負担を軽減することが可能となる。
【００１７】
そして、刃先係止部で床材剥離機の刃先をほぼ覆う状態となるので、移動の際に床材剥離機の刃物を損傷したり、床材剥離機の刃物で内装材等の設備や什器を損傷することもなく移動が可能となる。
【図面の簡単な説明】
【００１８】
【図１】本発明の床材剥離機用補助台車の構成を説明する図である。（ａ）は床材剥離機用補助台車の側方から見た状態の図であり、（ｂ）は平面から見た状態の図である。
【図２】本発明の床材剥離機用補助台車を床材剥離機に係止させた状態を説明する図である。
【図３】係止金具を床材剥離機に取り付けた状態を説明する図である。
【図４】本発明の床材剥離機用補助台車を床材剥離機に取り付けた状態で自動車への積み込み作業を説明する図である。
【図５】本発明の床材剥離機用補助台車を床材剥離機に取り付けた状態で自動車から積み降ろし作業を説明する図である。
【図６】本発明の別の実施形態の床材剥離機用補助台車の構成を説明する図である。（ａ）は床材剥離機用補助台車の側方から見た状態の図であり、（ｂ）は平面から見た状態の図である。
【発明を実施するための最良の形態】
【００１９】
本発明の実施形態について図を用いて説明する。図１（ａ）と図１（ｂ）に示すように、床材剥離機用補助台車１は、台車フレーム２の下方に２つの移動用車輪３を具備している。そして台車フレーム２の前方（図１において左側）には床材剥離機１０の刃物１１の刃先を係止させるための刃先係止部４を設けており、台車フレーム２の後方（図１において右側）には、固定手段としての長さ調整ベルト５と、長さ調整ベルト５の先端に係止金具６とを具備している。
【００２０】
移動用車輪３は２つ設けており、台車フレーム２に対して走行方向が旋回する自在キャスターを取り付けている。移動用車輪３の個数は特に限定はしないが、１つでは自動車への積み降ろしの際に不安定になることが予想されるので２つ以上であれば良い。
【００２１】
刃先係止部４は床材剥離機１０の刃先１１と係止する部分である。台車フレーム２の幅を床材剥離機１０の刃物１１の幅よりも広いものにしている。刃先係止部４の幅も刃物１１の幅よりも広くしても良い。本実施形態においては、刃先係止部４の幅は刃物１１の幅よりも狭い状態で図示して説明をしている。台車フレーム２の幅又は刃先係止部４の幅が床材剥離機１０の刃物１１の幅よりも広ければ、移動中に刃物１１の端部が接触することによる刃物１１の損傷や、工事現場までの内装などを損傷することを防ぐことができるのである。
【００２２】
長さ調整ベルト５の長さ調整は、係止金具６に設けた穴の部分で行っても良いし、長さ調整ベルト５の適宜な位置に長さ調整要のバックルを設けてベルトの途中で長さ調整をするような構成としても良い。
【００２３】
係止金具６は床材剥離機１０のハンドル部やフレーム部の適宜な位置に係止して、床材剥離機用補助台車１を固定するためのもので、長さ調整ベルト５の長さを短く調整して固定するのである。
【００２４】
本発明の床材剥離機用補助台車１の床材剥離機１０への取付け方を説明すると、まず、図２の状態のように床材剥離機１０のハンドルを縮めた状態とし、ハンドル側を接地した状態にして刃物１１を浮かせた状態とする。そしてその刃物１１に床材剥離機用補助台車１の刃先係止部４を係止させる。
【００２５】
次に図３に示すように、床材剥離機１０のハンドル部へ係止金具６を係止させて長さ調整ベルト５の長さを調整して短くし、長さ調整ベルト５の適度なテンションで床材剥離機用補助台車１の刃先係止部４が床材剥離機１０の刃物１１から外れないようにすれば取付けが完了する。
【００２６】
図４は剥離機用補助台車１を取り付けた状態の床材剥離機１０を自動車に積み込みしている状態を示している。剥離機用補助台車１を取り付けた状態の床材剥離機１０を自動車に積み込みする際においては、剥離機用補助台車１に設けている自在キャスターである移動用車輪３が下方に位置するようにしてラダーレールに沿って押し上げるようにすると積み込みがしやすい。
【００２７】
図５は床材剥離機用補助台車１を取り付けた状態の床材剥離機１０を自動車から積み降ろしをしている状態を示している。剥離機用補助台車１を取り付けた状態の床材剥離機１０を自動車に積み下ろす際には、床材剥離機用補助台車１に設けている自在キャスターである移動用車輪３が上方に位置するようにし、ハンドルを押さえてゆっくりとラダーレールに沿って下ろすようにするのである。
【００２８】
図６は、床材剥離機用補助台車２０の別実施形態を説明する図である。図６に図示した実施形態においては、床材剥離機１０のフレーム部に巻き付けて固定できる固定用ベルトを２本設けた構成としている。本実施形態においても刃先係止部４を剥離機用補助台車２０の前方へ設けている。
【００２９】
固定ベルト７ａ，７ｂが床材剥離機１０の刃物１１側に位置され、固定ベルト８ａ，８ｂが剥離機用補助台車１の後方に位置される。固定ベルト７ａ，７ｂと固定ベルト８ａ，８ｂはそれぞれ長さが調整できるベルトとしておくと他の床材剥離機に適用するために好適な実施形態となる。そしてまた、ベルト脱着部９ａ，９ｂはワンタッチで接続、解除ができる樹脂等のよく知られた係止部を採用することが可能である。
【００３０】
上記の実施形態においては、台車フレーム２に設けた刃先係止部４は板部材を折り曲げた状態の構成のものを取付けたもので説明したが、板部材以外のブロック状のものでもよく、またさらに台車フレーム２に凹んだ状態に刃先が係止する部分を設けても良い。
【００３１】
また、床材剥離機１０へ床材床材剥離機用補助台車への固定は、上記以外に床材剥離機１０の刃物を固定する部分やフレーム部にネジ穴、又はネジを設けて、そこへベルトや板状の部材を用いてネジ又はナットなどで固定するようにするようにしても良い。
【符号の説明】
【００３２】
１  床材剥離機用補助台車
２  台車フレーム
３  移動用車輪
４  刃先係止部
５  長さ調整ベルト
６  係止金具
７ａ，７ｂ  固定ベルト
８ａ，８ｂ  固定ベルト
９ａ，９ｂ  ベルト脱着部
１０  床材剥離機
１１  刃物
２０  床材剥離機用補助台車
【図１】
2018034624.tif 000003
【図２】
2018034624.tif 000004
【図３】
2018034624.tif 000005
【図４】
2018034624.tif 000006
【図５】
2018034624.tif 000007
【図６】
2018034624.tif 000008